【手続補正書】
【提出日】平成31年2月14日(2019.2.14)
【手続補正１】
【補正対象書類名】特許請求の範囲
【補正対象項目名】全文
【補正方法】変更
【補正の内容】
【特許請求の範囲】
【請求項１】
集積回路であって、
第１の入力と、
第２の入力と、
出力と、
第１の電力コンバータであって、前記集積回路の前記第１の入力に結合される電圧入力と、制御入力と、前記集積回路の前記出力に結合される出力とを有する、前記第１の電力コンバータと、
第２の電力コンバータであって、前記集積回路の前記第２の入力に結合されて前記第１の電力コンバータの前記電圧入力への接続がない電圧入力と、制御入力と、前記第１の電力コンバータの前記出力と前記集積回路の前記出力とに結合される出力とを有する、前記第２の電力コンバータと、
第１の電力コンバータ制御回路であって、基準電圧リードに結合される第１の入力と、前記第１の電力コンバータの前記出力に結合される第２の入力と、前記第１の電力コンバータの前記制御入力に結合される出力とを有する、前記第１の電力コンバータ制御回路と、
第２の電力コンバータ制御回路であって、第１の入力と、第２の入力と、前記第２の電力コンバータの前記制御入力に結合される出力とを有する、前記第２の電力コンバータ制御回路と、
第１の電流感知回路であって、前記第１の電力コンバータの前記出力に結合される入力と、前記第２の電力コンバータ制御回路の前記第１の入力に結合される出力とを有する、前記第１の電流感知回路と、
第２の電流感知回路であって、前記第２の電力コンバータの前記出力に結合される入力と、前記第２の電力コンバータ制御回路の前記第２の入力に結合される出力とを有する、前記第２の電流感知回路と、
を含み、
前記第２の電力コンバータ制御回路に前記基準電圧リードとの接続がない、集積回路。
【請求項２】
請求項１に記載の集積回路であって、
第１及び第２の電力コンバータがバックコンバータである、集積回路。
【請求項３】
請求項１に記載の集積回路であって、
前記第１及び第２の電力コンバータが低ドロップアウトレギュレータである、集積回路。
【請求項４】
請求項１に記載の集積回路であって、
前記第１の電力コンバータが第１のタイプの電力コンバータであり、前記第２の電力コンバータが第２のタイプの電力コンバータである、集積回路。
【請求項５】
請求項１に記載の集積回路であって、
前記第１の電流感知回路の前記入力が、前記第１の電力コンバータの前記出力に磁気的に結合され、
前記第２の電流感知回路の前記入力が、前記第２の電力コンバータの前記出力に磁気的に結合される、集積回路。
【請求項６】
請求項１に記載の集積回路であって、
前記第１の電流感知回路の前記入力が、前記第１の電力コンバータの前記出力に電気的に結合され、
前記第２の電流感知回路の前記入力が、前記第２の電力コンバータの前記出力に電気的に結合される、集積回路。
【請求項７】
請求項１に記載の集積回路であって、
前記第１の電力コンバータと前記第１の電力コンバータ制御回路とが、前記第１の電力コンバータの前記出力に生成される電圧の大きさが基準電圧の大きさに比例するように、前記生成される電圧をレギュレートし、
前記第２の電力コンバータと前記第２の電力コンバータ制御回路とが、前記第２の電力コンバータの前記出力に生  成される電流の大きさが前記第１の電力コンバータの前記出力に生成される電流の大きさに比例するように、前記第２の電力コンバータの前記出力に生成される電流をレギュレートする、集積回路。
【請求項８】
請求項７に記載の集積回路であって、
前記第２の電力コンバータと前記第２の電力コンバータ制御回路とが、前記第２の電力コンバータの前記出力に生成される前記電流の大きさが前記第１の電力コンバータの前記出力に生成される前記電流の大きさと同等であるように、前記第２の電力コンバータの前記出力に生成される電流をレギュレートする、集積回路。
【請求項９】
デバイスであって、
入力と出力とを有する第１の電力コンバータと、
入力と出力とを有する第２の電力コンバータであって、前記第２の電力コンバータの前記入力に前記第１の電力コンバータの前記入力への接続がない、前記第２の電力コンバータと、
前記第１の電力コンバータの前記出力と前記第２の電力コンバータの前記出力とに結合される入力を有する、電力管理集積回路（ＰＭＩＣ）と、
前記ＰＭＩＣに結合される１つ又は複数のデータ記憶デバイス構成要素と、
を含む、デバイス。
【請求項１０】
請求項９に記載のデバイスであって、
第１及び第２の電力コンバータがバックコンバータである、デバイス。
【請求項１１】
請求項９に記載のデバイスであって、
前記第１及び第２の電力コンバータが低ドロップアウトレギュレータである（ＬＤＯ）、デバイス。
【請求項１２】
請求項９に記載のデバイスであって、
前記第１の電力コンバータが第１のタイプの電力コンバータであり、前記第２の電力コンバータが第２のタイプの電力コンバータである、デバイス。
【請求項１３】
請求項９に記載のデバイスであって、
前記データ記憶デバイス構成要素がソリッドステートドライブ構成要素である、デバイス。
【請求項１４】
請求項９に記載のデバイスであって、
前記第１の電力コンバータが、前記第１の電力コンバータの前記出力に生成される電圧の大きさが基準電圧の大きさに比例するように、前記生成される電圧をレギュレートするように構成され、
前記第２の電力コンバータが、前記第２の電力コンバータの前記出力に生成される電流の大きさが前記第１の電力コンバータの前記出力に生成される電流の大きさに比例するように、前記第２の電力コンバータの前記出力に生成される電流をレギュレートするように構成される、デバイス。
【請求項１５】
請求項１４に記載のデバイスであって、
前記第２の電力コンバータが、前記第２の電力コンバータの前記出力に生成される前記電流の大きさが前記第１の電力コンバータの前記出力に生成される前記電流の大きさと同等であるように、前記第２の電力コンバータの前記出力で生成される前記電流をレギュレートする、デバイス。
【請求項１６】
請求項１４に記載のデバイスであって、
前記第２の電力コンバータが、前記第２の電力コンバータの前記出力の前記電圧を示す信号を用いることなく、前記第２の電力コンバータの前記出力に生成される前記電流をレギュレートするように構成される、デバイス。
【請求項１７】
請求項９に記載のデバイスであって、
前記第１の電力コンバータの前記出力における電圧を示す信号と基準電圧とに基づいて前記第１の電力コンバータを制御するように構成される第１の制御回路要素を更に含む、デバイス。
【請求項１８】
請求項１７に記載のデバイスであって、
前記第１の電力コンバータの前記出力における電流を示す信号と前記第２の電力コンバータの前記出力における電流を示す信号とに基づいて前記第２の電力コンバータを制御するように構成される第２の制御回路要素を更に含む、デバイス。
【請求項１９】
請求項１８に記載のデバイスであって、
前記第２の制御回路要素が、前記第２の電力コンバータの前記出力における電圧を示す信号を用いることなく、前記第２の電力コンバータを制御する、デバイス。
【請求項２０】
請求項１８に記載のデバイスであって、
前記第２の制御回路要素が、前記基準電圧を示す信号を用いることなく、前記第２の電力コンバータを制御する、デバイス。
【請求項２１】
請求項９に記載のデバイスであって、
前記ＰＭＩＣがソリッドステートドライブである、デバイス。
【請求項２２】
請求項９に記載のデバイスであって、
前記第１の電力コンバータの前記入力に結合される第１の出力と、前記第２の電力コンバータの前記入力に結合される第２の出力とを有する電力源を更に含む、デバイス。
【請求項２３】
請求項２２に記載のデバイスであって、
前記電力源が、前記電力源の前記第１の出力に第１の電圧を出力し、前記電力源の前記第２の出力に第２の電圧を出力するように構成され、
前記第１の電圧の大きさが前記第２の電圧の大きさよりも大きい、デバイス。